(57)【要約】【課題】複合パネルの表面に取付け用の金具類が現れないようにし、表面美観は保たれ且つ充分な取付け強度が確保できるばかりでなく、複合パネルを取付けたとき正確な位置決めができて、省力効果の高い取付け作業が可能な複合パネルと取付け方法が望まれていた。【解決手段】建造物の壁面又は天井面に添設され、裏板、芯材および表板からなる複合パネルであって、裏板は、係止用ネジのネジ頭部が貫通可能な挿入孔と、この挿入孔の両側に連設されネジ部が摺動可能であるがネジ頭部の外径より狭い係止孔とが穿設されていて、芯材は少なくとも裏板の挿入孔と係止孔とに対応する部分にネジ頭部が摺動可能な収容孔が穿設されている複合パネルである。【選択図】図８
2011196171.tif 000002
【特許請求の範囲】
【請求項１】
建造物の壁面又は天井面に添設され、裏板、芯材および表板からなる複合パネルであって、上記裏板は、係止部材である係止用ネジのネジ頭部が貫通可能な挿入孔と、この挿入孔の両側に連設され前記ネジ頭部よりも径小なネジ部が摺動可能であるがネジ頭部の外径より狭い係止孔とが穿設されていて、上記芯材は少なくとも上記裏板の挿入孔と係止孔とに対応する部分に上記ネジ頭部が摺動可能な収容孔が穿設されることを特徴とする複合パネル。
【請求項２】
建造物の壁面又は天井面に添設され、裏板、芯材および表板からなる複合パネルであって、上記裏板は、係止部材である係止用ネジのネジ頭部が貫通可能な挿入孔と、この挿入孔に連設され前記ネジ頭部よりも径小なネジ部が摺動可能であるがネジ頭部の外径より狭い係止孔とが上記裏板に離間して、且つ、挿入孔が対向するように少なくとも一対穿設されていて、上記芯材は少なくとも上記裏板の挿入孔と係止孔とに対応する部分に上記ネジ頭部が摺動可能な収容孔が各穿設されることを特徴とする複合パネル。
【請求項３】
請求項１ないし２いずれか１項に示された複合パネルを上下左右方向に複数個並置して、ユニット枠に固定することを特徴とする複合パネルの取付け方法。
【発明の詳細な説明】
【技術分野】
【０００１】  本発明は、各種建造物の壁面、又は、天井面を構築する複合パネルとその取付け方法に関する。
【背景技術】
【０００２】  図１９から図２３を参照して、従来用いられている複合パネルを建造物の内壁に取付ける方法を説明する。【０００３】  複合パネルを実際に壁面パネル若しくは天井面パネルとして使用する場合には、パネル部を建造物の壁面や天井面に保持固定することが必要である。従来、複合パネルからなるパネル部を保持固定する手段としては、種々の取付け方法が提案されており、例えば、図１９に示すように、居住用の部屋内には、予め、アンカーボルト１２を備えている建造物の内壁に、下地であるケイ酸カルシュウム板１０と柱材１８を組み付け、更に、これらをブラケット１９に挿し入れ、アンカーナット（図示せず）で懸架固定して内装の骨組みを構築する。そして、ケイ酸カルシュウム板１０の表面に接着剤を塗布、或いは、両面テープを接着して化粧板である複合パネル１を貼付けて内壁を施工する。尚、隣接する複合パネル１の隙間はコーキングを施して内壁を完成する。【０００４】  また、図２０に記載された従来の複合パネル取付け方法は、予め、構造物壁躯体１７の構造物アンカーボルト１２に、スチールアングル２２をアンカーナット１３で締結したものに、複合パネル１の端面を必要長さ分、折り曲げて、ブラインドリベット２０とアルミ型材２１で係合し、それを固定ビス２４で係止する。構造物壁躯体１７から延びるスチールアングル２２に、アルミ型材２１とブラインドリベット２０で接合された複合パネル１を構造物壁躯体１７に懸架固定する。隣接する複合パネル１の隙間は、コーキングを施して内壁を完成するものがある。【０００５】  更に、図２１に記載された壁面パネルの取付け構造は、パネル本体部２５と躯体壁面２６の両側のフック部の間に設けられ、パネル本体部２５の裏面から躯体壁面２６に向かって伸長する、補強リブ２７に設けられた係止溝２８と、この係止溝２８を係止させるべく、躯体壁面２６に設けられた係止用部材２９を備えている。パネル本体部２５の内側の部分が固定される（例えば特許文献１参照）。【０００６】  更に、図２２及び図２３に記載された、従来の複合パネル１は、表板１ｃは平板であり、芯材１ｂには係止用孔７ｃを穿設している。裏板１ａは、三角形状孔７の開口部７ａを設けている。その開口部７ａに挿入可能な金属プレートを取付けたボルト（図示せず）を挿入し、一定角度回転して、複合パネル１を例えば躯体（図示なし）に係止するようにした。三角形係止部材と三角形状孔７を設けて複合パネルを取付けるものもある（例えば特許文献２参照）。【０００７】  また、図示しないが積層複合材の裏面の金属板に鍵穴状の開口部を、その下層の樹脂に長円柱状空間を形成しておき、根角ボルトを、前記積層複合材の裏面側に設けた根角ボルト頭部の外形に対応する円形状の開口部に挿入し、長円柱状空間に挿入した根角ボルトを前記積層複合材に形成したガイド溝に沿って移動することにより、根角ボルトを積層複合材に取付けるものがある（例えば特許文献３参照）。
【先行技術文献】
【０００８】
【特許文献１】特開２００４−９２０２０号公報、
【特許文献２】特許４０６５８９０号
【特許文献３】特開２００９−９７２９８号公報
【発明の概要】
【発明が解決しようとする課題】
【０００９】  図１９に記載された従来の接着剤を塗布する方法、或いは、両面テープを使用した接着貼付け方法では、パネル面に接着剤を万遍無く塗布する手間がかかり、複合パネル１の接着面の均一性に欠き、貼付け強度が保たれない、また、接着剤独特の臭気を帯び、耐久性と環境面で極めて多くの課題を有している。【００１０】  図２０に記載された、従来のブラインドリベットによる取付け方法は、美観は損なわれないものの、取付け強度の面で問題があり、また、複合パネル１の端面を必要長さ分の折り曲げ加工を施す必要があり、この方法では、強度面と施工性の観点で満足が得られない。【００１１】  また、図２１に記載された、従来の壁面パネル取付け方法は、ある程度の取付け強度は期待できるが、パネル本体部の補強リブを係止部材に引っ掛けて懸架するだけで壁面パネル１と係止部材の安定性とパネル下部からの荷重によりパネル本体が上方に持ち上がる欠点がある。【００１２】  特許文献３に示されたものは、複合パネル１を例えば躯体に取付ける時に位置を決めることが難しい。【００１３】  また、図２２及び図２３に記載された従来のものは、複合パネル１の裏板に三角形状の開口部を施したものに、金属プレートを取付けたボルトを挿入し、一定角度回転して係止する複合パネルの取付ける方法は、ある程度の貼付け強度は期待できるが、開口部の加工が難点であるのとボルトの係止する位置の模索に手間が掛る欠点がある。【００１４】  前述の従来の取付け方法では、いずれも補強効果が満足されず、複合パネル１の取付け位置が定め難いばかりではなく安定性に欠けるなど、施工工数が増大して結果的には、コストアップになることが問題点として挙げられる。【００１５】  本発明の目的は、上述した従来の取付け手段の問題点を解決することにあり、複合パネル１の表面には全く取付け用の金具類は現れないため、表面美観は保たれ、且つ充分な取付け強度が確保できばかりでなく、省力効果の高い取付け作業が可能な複合パネル１と取付け方法を提供することにある。
【課題を解決するための手段】
【００１６】  本発明は、複合パネル１の取付け方法であり、前述した技術的課題を解決するために、以下のように構成されている。【００１７】  第１に、建造物の壁面又は天井面に添設され、裏板１ａ、芯材１ｂおよび表板１ｃからなる複合パネル１であって、上記裏板１ａは、係止部材である係止用ネジ５のネジ頭部５ａが貫通可能な頭部挿入孔２ａと、この頭部挿入孔５ａの両側に連設され前記ネジ頭部５ａよりも径小なネジ部が摺動可能であるがネジ頭部５ａの外径より狭い係止孔２ｂとが穿設されていて、上記芯材１ｂは少なくとも上記裏板１ａの頭部挿入孔２ａと係止孔２ｂとに対応する部分に上記ネジ頭部５ａが摺動可能な収容孔２ｄが穿設されることを特徴とする複合パネル１である。【００１８】  第２に、建造物の壁面又は天井面に添設され、裏板１ａ、芯材１ｂおよび表板１ｃからなる複合パネル１であって、上記裏板１ａは、係止部材である係止用ネジ５のネジ頭部５ａが貫通可能な頭部挿入孔３ａと、この頭部挿入孔３ａに連設され前記ネジ頭部５ａよりも径小なネジ部５ｂが摺動可能であるがネジ頭部５ａの外径より狭い係止孔３ｂとが上記裏板１ａに離間して、且つ、頭部挿入孔３ａが対向するように少なくとも一対穿設されていて、上記芯材１ｂは少なくとも上記裏板１ａの頭部挿入孔３ａと係止孔３ｂとに対応する部分に上記ネジ頭部５ａが摺動可能な収容孔３ｄが各穿設されることを特徴とする複合パネル１である。【００１９】  第３に、前述した、複合パネル１を上下左右方向に二個並置して、ユニット枠１４ａに固定することを特徴とする複合パネル１の取付け方法ある。
【発明の効果】
【００２０】  以上説明したように、本発明の係止用袋溝を備えた複合パネル１によれば、建造物の壁面又は天井面を構築する現場で直接施工することが可能な複合パネル１である。【００２１】  例えば、居住用の部屋内建造物躯体の外側から化粧板である複合パネル１を取付けるには、極めて省力的に、且つ、美観を損なうことなく極めて確実で施工をすることができる、また、接着剤による貼付方法に較べ、環境面および健康面にも優しい点を併せ持つ、極めて有効に品質を保つ部屋を構築することができる複合パネルの取付け方法である。更に、複合パネル１を取付ける時位置決めが正確にできる。
【図面の簡単な説明】
【図１】本発明の第一の実施例を示すパネル断片と係止用ネジ斜視図。
【図２】同パネル断片の分解斜視図。
【図３】同パネル断片の一部分を示す平面図。
【図４】図３のＡ−Ａ’線に沿った断面図。
【図５】同パネル断片と係止用ネジの挿入状態を示す取付金具の分解斜視図。
【図６】同パネル断片と係止用ネジ及び取付金具の取付け斜視図。
【図７】同パネル断片を壁に取付けた状態を示す断面図。
【図８】本発明の第二の実施例を示すパネル断片と係止用ネジ斜視図。
【図９】同パネル断片の一部分を示す平面図。
【図１０】図９のＡ−Ａ’線に沿った断面図。
【図１１】同パネル断片に係止用ネジの挿入状態を示す斜視図。
【図１２】図１１のパネル断片に係止用ネジと取付金具の取付け斜視図。
【図１３】本発明の第三の実施例を示すパネル断片の一部分を示す平面図。
【図１４】図１３のＡ−Ａ’線に沿った断面図。
【図１５】本発明の第四の実施例を示すパネル断片を縦横に四枚並べ備えたパネル構成ユニットの表板側を示す斜視図。
【図１６】図１５の裏板側を示すパネル断片と係止用ネジおよびユニット枠の一部を示す斜視図とその一部拡大断面図。
【図１７】本発明に係る複合パネルの超硬ルーターによる袋溝の加工状態を示す斜視図。
【図１８】図１７のルーター心に沿った断面図。
【図１９】従来の複合パネルの部屋内装施工例の断面図。
【図２０】従来のブラインドリベットによる複合パネル貼付け例の断面図。
【図２１】従来の壁面パネル取付け構造。
【図２２】従来の三角形状孔の複合パネルの一部分を示す平面図。
【図２３】図２２のＡ−Ａ’線に沿った断面図。
【発明を実施するための形態】
【００２２】  以下、本発明における複合パネル１及びその取付け方法の実施形態について、図面を参照して詳細に説明する。最初に、図１から図７を参照して、本発明の第一の実施例を説明する。図１記載の複合パネル１は、建造物の壁面又は天井面を添設するもので図２記載の裏板１ａ、芯材１ｂおよび表板１ｃを貼り合せたものである。図３及び図４に示すように、裏板１ａは、頭部挿入孔２ａと係止孔２ｂの合成孔を穿設されていて、芯材１ｂには、係止部材の収容孔２ｄが穿設されている。表板１ｃは平板である。裏板１ａと芯材１ｂ及び表板１ｃは、貼り合わせ構造となっているので、袋溝状のものが形成されるが、これを単袋式の係止用袋溝２と呼ぶ。
【００２３】  次に、この複合パネル１を図示しない例えば壁に取付け方を説明する。図５及び図６に示すように、係止孔２ｂに係止部材である係止用ネジ５のネジ頭部５ａを係止用袋溝２に挿し入れ、更に取付金具８の孔にネジ部５ｂを挿入しナット６で締結することにより複合パネル１は取付金具８に固定され、この取付金具８の壁側取付孔にネジを挿入して壁に取付ける。
【００２４】  ここで、単袋式の係止用袋溝２の袋溝形状の詳細を説明する。裏板１ａの係止孔２ｂの長さは、係止部材である係止用ネジ５の頭部５ａを頭部挿入孔２ａより挿入でき、係止用ネジ５のネジ頭部５ａを複合パネル裏板１ａの頭部挿入孔２ａに挿入でき、ネジ部５ｂが係止孔端２ｃに接触するまで係止用ネジ５が係止孔２ｂ内をガイドされながら摺動する長さである。係止孔２ｂの長さは、ネジ頭部５ａが係止孔２ｂに隠れる長さである。係止孔２ｂの幅は、係止用ネジ５のネジ部５ｂをガイドできる幅を有する。このようにして、裏板１ａと芯材１ｂおよび表板１ｃは貼り合わせ構造となっているので、単袋式の係止用袋溝２が形成される。
【００２５】  次に図８から図１２までを参照して本発明の第二の実施例を説明する。複合パネル１の裏板１ａには、挿入孔心３ｅとする、上下、又は左右、両方向に伸長した係止孔３ｂである合成孔３ｆを穿設している。芯材１ｂは、係止部材であるネジ頭部５ａが摺動できる長円形の収容孔３ｄを穿設している。表板１ｃは平板である。本発明の袋溝形状の詳細を説明する。裏板１ａの係止孔３ｂの長さは、頭部挿入孔３ａより係止部材である係止用ネジ５のネジ頭部５ａが挿入でき、上下、又は、左右の両方向に摺動できる長さであって、それぞれの係止孔３ｂにネジ頭部５ａが隠れる長さまで長円形に上下又は左右両方向に穿設されている。裏板１ａと芯材１ｂおよび表板１ｃは貼り合せているので係止用袋溝３が形成される。これを複袋式の係止用袋溝３と呼ぶ。複合パネル１を係止できる係止孔３ｂを上下又は左右、両方向に伸長した、係止用袋溝３を穿設した複合パネル１である。
【００２６】  図１１及び図１２に示すように、係止用袋溝３には、係止ネジ５のネジ頭部５ａを挿入、ネジ部５ｂに取付金具８を嵌め合してナット６で締結する。係止用袋溝３を穿設した複合パネル１の取り付け方法を示したものである。
【００２７】  次に図１３と図１４を参照して本発明の第三の実施例を説明する。この実施例においては、本発明の第一の実施例を示された単袋式の係止用袋溝２を２個備えた係止用袋溝４を穿設した複合パネル１である。複合パネル１の同一平面上に１８０度相対称向きに、適宜な間隔を明けて、単袋式の係止用袋溝４を２個並べて配置したものを穿設した複合パネルである。
【００２８】  図１５及び図１６は、本発明に係る複合パネル１を上下左右方向に２個並置してユニット枠１４ａに固定した第三の実施例の係止用袋溝４を備えたものである。パネル構成ユニット１４を示していて、この場合係止用袋溝４は互いに相対称に適宜な間隔をあけて２個複合パネル１に穿設されている。その各係止用袋溝４に係止用ネジ５のネジ頭部５ａを挿入保持した状態を保ちながら、そこに係止用ネジ５の相当数と同一位置の孔が穿設しているユニット枠１４ａを嵌め合わせて、複合パネル、ユニット枠１４ａを係止用ネジ５とナット６で締結する。このようにして、上下左右方向を定着状態に保たれた複合パネル１と係止部材を有したパネル構成ユニット１４が整然と並べ備えられる。
【００２９】  第三の実施例に示されたものと第一実施例及び第二の実施例に示されたものとの大きな相異点は次のような要望によるものである。近年、ビル等の建築物における壁面又は天井面は質量、耐候性、施工性などの観点から工場等で、予め、複合パネル１をユニット枠１４ａに２個組み付けたパネル構成ユニット１４を製作して現場でこのユニット枠を施工することで工期を短縮することができる。
【００３０】  図１７、及び、図１８は、建造物の壁面又は天井面を施工する現場において、Ｔ字型の超硬ルーター９によって複合パネル１の係止用袋溝２，３，４を加工する方法を示している。最初に、超硬ルーター９の構成を説明する。超硬ルーター９は、先端面超硬刃９ａ、側面超硬刃９ｂ、シャフト側面超硬刃９ｃに研削用超硬刃を備えている。側面超硬刃９ｂは、芯材１ｂの厚さと同厚の超硬刃を備え、超硬ルーター９を矢印方向に回転しながら先端面超硬刃９ａで表板１ｃを削らないように超硬ルーター９を矢印方向に挿入して、裏板１ａの側面と芯材１ｂを削る。切削加工を施して係止用袋溝２，３，４を形成する。
【００３１】  図２２、及び、図２３に記載の裏板は、三角形状孔７の開口部７ａを設けている。
芯材１ｂには、係止用の孔７ｃを穿設している。表板１ｃは平板である。
裏板１ａの開口部７ａに多角形状の係止部材を押し入れ一定角度回転して複合パネル１を係止した、三角形部材と三角形状孔７を設けた複合パネル１である。
【符号の説明】
【００３２】  １：複合パネル
１ａ：裏板
１ｂ：芯材
１ｃ：表板
２：（単袋式）係止用袋溝
２ａ：頭部挿入孔
２ｂ：係止孔
２ｃ：係止孔端
２ｄ：収容孔
２ｅ：係止孔心
３：（複袋式）係止用袋溝
３ａ：頭部挿入孔
３ｂ：係止孔
３ｃ：係止孔端
３ｄ：収容孔
３ｅ：挿入孔心
３ｆ：合成孔
３ｇ：係止孔心
４：（単袋式）係止用袋溝
４ａ：頭部挿入孔
４ｂ：係止孔
４ｃ：係止孔端
４ｄ：収容孔
４ｅ：係止孔心
５：係止用ネジ
５ａ：ネジ頭部
５ｂ：ネジ部
６：ナット
７：三角形状孔
７ａ：開口部
７ｂ：三角孔
７ｃ：孔
８：取付金具
８ａ：上取付金具
８ｂ：下取付金具
９：超硬ルーター
９ａ：先端面超硬刃
９ｂ：側面超硬刃
９ｃ：シャフト側面超硬刃
９ｅ：ルーター心
１０：ケイ酸カルシューム板
１１：天井躯体
１２：アンカーボルト
１３：アンカーナット
１４：パネル構成ユニット
１４ａ：ユニット枠
１５：連結ナット
１６：連結ボルト
１７：建造物壁躯体
１８：柱材
１９：ブラケット
２０：ブラインドリベット
２１：アルミ型材
２２：スチールアングル
２３：固定ボルト
２４：固定ビス
２５：パネル本体部
２６：躯体壁面
２７：補強リブ
２８：係止溝
２９：係止用部材
【図１】
2011196171.tif 000003
【図２】
2011196171.tif 000004
【図３】
2011196171.tif 000005
【図４】
2011196171.tif 000006
【図５】
2011196171.tif 000007
【図６】
2011196171.tif 000008
【図７】
2011196171.tif 000009
【図８】
2011196171.tif 000010
【図９】
2011196171.tif 000011
【図１０】
2011196171.tif 000012
【図１１】
2011196171.tif 000013
【図１２】
2011196171.tif 000014
【図１３】
2011196171.tif 000015
【図１４】
2011196171.tif 000016
【図１５】
2011196171.tif 000017
【図１６】
2011196171.tif 000018
【図１７】
2011196171.tif 000019
【図１８】
2011196171.tif 000020
【図１９】
2011196171.tif 000021
【図２０】
2011196171.tif 000022
【図２１】
2011196171.tif 000023
【図２２】
2011196171.tif 000024
【図２３】
2011196171.tif 000025